(57)【特許請求の範囲】
【請求項１】
電子メール機能を備える電子機器であって、
前記電子メールを送受信する通信部、
前記通信部によって受信された電子メールに対して、返信の電子メールを作成するとき、当該受信された電子メールに設定された送り先への当該返信の電子メールの送信を実施するか否かの設定情報を含むリストを作成して、記憶部に記憶するリスト作成部、および
前記通信部によって前記返信の電子メールを送信された後に、利用者の操作入力に従って、送信された当該返信の電子メールについての前記リストを前記記憶部から読み出して表示装置に表示するリスト表示制御部を備える、電子機器。
【請求項２】
電子メール機能を備える電子機器の情報処理プログラムであって、
前記電子機器のプロセッサに、
前記電子メールを送受信する通信ステップ、
前記通信ステップによって受信された電子メールに対して、返信の電子メールを作成するとき、当該受信された電子メールに設定された送り先への当該返信の電子メールの送信を実施するか否かの設定情報を含むリストを作成して記憶部に記憶するリスト作成ステップ、および
前記通信ステップによって前記返信の電子メールを送信した後に、利用者の操作入力に従って、送信された当該返信の電子メールについての前記リストを前記記憶部から読み出して表示装置に表示するリスト表示制御ステップを実行させる、情報処理プログラム。
【発明の詳細な説明】
【技術分野】
【０００１】
この発明は電子機器および情報処理プログラムに関し、特にたとえば、電子メールを送受信する、電子機器および情報処理プログラムに関する。
【背景技術】
【０００２】
この種の電子機器の一例が特許文献１に開示されている。この特許文献１の携帯通信端末では、電子メールの送信または受信時に、その電子メールで指定されているＴｏ、Ｃｃ、Ｂｃｃなどのアドレスのうち端末自身のアドレスを除くアドレスから対をなす全てのパターンのアドレスの組み合わせ情報を作成してメモリ部に蓄積する。新規メール作成時には指定済みの宛先アドレスを元に蓄積されている組み合わせ情報を検索して関連する組み合わせ情報を宛先アドレス候補として抽出し、抽出された宛先アドレス候補を重要度順に表示する。
【特許文献１】特開２００５−７８３５２[G06F 13/00,H04B 7/26,H04M 1/274,H04M 1/56,H04M 11/00]
【発明の概要】
【発明が解決しようとする課題】
【０００３】
しかし、背景技術の携帯通信端末では、新規に同報メールを作成する際のアドレス指定を比較的容易に行うことができるが、受信した同報メールに対して返信メールを作成する際のアドレス指定については何ら考慮されていない。たとえば、同報メールを受信し、全員に返信メールを送信したい場合には、返信メールの作成画面では、受信した同報メールにおけるＦｒｏｍに記載のアドレスがＴｏに設定され、また、受信した同報メールにおけるＣｃに記載のアドレスがＣｃに設定される。このとき、一部の人物に返信したい場合には、たとえば、返信メールの作成画面において、Ｔｏの欄やＣｃの欄を指定して、返信メールを送信しない人物についてのアドレスを、キー操作により削除する。また、一旦削除したアドレス宛に返信メールを送信したいと思い直した場合には、アドレス帳から当該アドレスを指定したり、当該アドレスを直接入力したりする必要がある。このため、操作が面倒である。
【０００４】
それゆえに、この発明の主たる目的は、新規な、電子機器および情報処理プログラムを提供することである。
【０００５】
また、この発明の他の目的は、複数の送り先のうちの一部を簡単に設定することができる、電子機器および情報処理プログラムを提供することである。
【課題を解決するための手段】
【０００６】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【００１０】
第２の発明は、第１の発明に従属し、通信部は、設定情報に基づいて返信の電子メールを送信し、通信部によって送信された返信の電子メールとともに設定情報を含むリストを記憶する記憶部をさらに備える。
【００１１】
第２の発明では、通信部は、設定情報に基づいて返信の電子メールを送信する。つまり、返信の電子メールの送信を実施することが設定された送り先にのみ、返信の電子メールを送信する。記憶部（１２、１４、１８、Ｓ３７）は、通信部によって送信された返信の電子メールとともに設定情報を含むリストを記憶する。
【００１２】
第２の発明によれば、送信された返信の電子メールとともに設定情報を含むリストを記憶するので、元の受信した電子メールに差出人および複数の送り先が設定されている場合に、誰に返信の電子メールを送信し、誰に返信の電子メールを送信していないかの履歴を残すことができる。
【００１３】
第３の発明は第２の発明に従属し、記憶部に記憶された設定情報を含むリストを表示する第２リスト表示部をさらに備える。
【００１４】
第３の発明では、第２リスト表示部（１２、３０、Ｓ１１７、Ｓ１２１）は、記憶部に記憶された設定情報を含むリストを表示する。
【００１５】
第３の発明によれば、送信された返信の電子メールについて設定情報を含むリストを表示するので、元の受信した電子メールに差出人および複数の送り先が設定されている場合に、誰に返信の電子メールを送信し、誰に返信の電子メールを送信していないかを一目で知ることができる。
【００１６】
第４の発明は、第１ないし第３の発明のいずれかに従属し、利用者の操作入力に従ってリストに送り先を追加する追加部をさらに備える。
【００１７】
第４の発明では、追加部（１２、Ｓ６１、Ｓ６３、Ｓ６５、Ｓ９１、Ｓ９３、Ｓ９５）は、利用者の操作入力に従ってリストに送り先を追加する。
【００１８】
第４の発明によれば、元の受信した電子メールの差出人および送り先に設定されていない送り先をリストに追加するので、返信の電子メールを送信する際に送り先を簡単に追加することができる。
【００１９】
第５の発明は、第４の発明に従属し、追加部によってリストに送り先が追加されたことを示す追加情報を付与する付与部をさらに備える。
【００２０】
第５の発明では、付与部（１２，Ｓ６５，Ｓ９５）は、追加部によってリストに送り先が追加されたことを示す追加情報（１４５０）を付与する。たとえば、追加情報としては、送信先が追加されたことを示す記号、図形、画像が表示される。ただし、そのような記号、図形、画像の表示に代えて、追加された送信先の表示を変化（明滅表示、表示の色や輝度の変化）させるようにしてもよい。
【００２１】
第５の発明によれば、追加された送信先を容易に知ることができる。
【００２２】
第１の発明は、電子メール機能を備える電子機器であって、電子メールを送受信する通信部、通信部によって受信された電子メールに対して、返信の電子メールを作成するとき、当該受信された電子メールに設定された送り先への当該返信の電子メールの送信を実施するか否かの設定情報を含むリストを作成して記憶部に記憶するリスト作成部、および通信部によって返信の電子メールを送信された後に、利用者の操作入力に従って、送信された当該返信の電子メールについてのリストを記憶部から読み出して表示装置に表示するリスト表示制御部を備える、電子機器である。
第２の発明は、電子メール機能を備える電子機器の情報処理プログラムであって、電子機器のプロセッサに、電子メールを送受信する通信ステップ、通信ステップによって受信された電子メールに対して、返信の電子メールを作成するとき、当該受信された電子メールに設定された送り先への当該返信の電子メールの送信を実施するか否かの設定情報を含むリストを作成して記憶部に記憶するリスト作成ステップ、および通信ステップによって返信の電子メールを送信された後に、利用者の操作入力に従って、送信された当該返信の電子メールについてのリストを記憶部から読み出して表示装置に表示するリスト表示制御ステップを実行させる、情報処理プログラムである。
【００２３】
第１および第２の発明によれば、送信された電子メールの送り先の情報を含むリストを表示装置に表示するので、電子メールを送信した者および送信していない者を容易に知ることができる。
【発明の効果】
【００２４】
この発明によれば、返信の電子メールを作成する際、送り先についてのリストを作成し、当該リストによって返信の電子メールを送信するか否かを設定するので、同報メールのような送り先が多数の電子メールであっても、簡単に送り先を設定することができる。つまり、操作性を向上させることができる。
【００２５】
この発明の上述の目的，その他の目的，特徴および利点は、図面を参照して行う以下の実施例の詳細な説明から一層明らかとなろう。
【図面の簡単な説明】
【００２６】
【図１】図１はこの発明の一実施例の携帯電話機の電気的な構成を示すブロック図である。
【図２】図２は図１に示す携帯電話機の外観を示す図解図である。
【図３】図３は図１に示す携帯電話機の表示装置の表示領域を説明するための図解図およびその表示装置に表示される受信メールの確認画面の例を図解図である。
【図４】図４は図１に示す携帯電話機の表示装置に表示される返信メールの作成画面の例およびＣｃの編集画面の例を示す図解図である。
【図５】図５は図１に示す携帯電話機の表示装置に表示されるＣｃの編集画面の他の例を示す図解図である。
【図６】図６は図１に示す携帯電話機の表示装置に表示される返信メールの作成画面の他の例を示す図解図である。
【図７】図７は図１に示す携帯電話機の表示装置に表示される送信済みメールの確認画面の例およびＣｃのリストの表示画面の例を示す図解図である。
【図８】図８は図１に示すＲＡＭのメモリマップの例を示す図解図である。
【図９】図９は図８に示す送信済みメールデータおよび受信済みメールデータの具体的な内容を示す図解図である。
【図１０】図１０はＣｃのリストの例を示す図解図である。
【図１１】図１１は図１に示すプロセッサの返信メール作成処理の一部を示すフロー図である。
【図１２】図１２は図１に示すプロセッサの返信メール作成処理の他の一部であって、図１０に後続するフロー図である。
【図１３】図１３は図１に示すプロセッサの宛先の編集処理を示すフロー図である。
【図１４】図１４は図１に示すプロセッサのＣｃの編集処理を示すフロー図である。
【図１５】図１５は図１に示すプロセッサの送信済みメール表示処理の一部を示すフロー図である。
【図１６】図１６は図１に示すプロセッサの送信済みメール表示処理の他の一部であって、図１５に後続するフロー図である。
【図１７】図１７は図１に示す表示装置に表示される他の実施例のＣｃの編集画面およびＣｃのリストの表示画面を示す図解図である。
【発明を実施するための形態】
【００２７】
図１を参照して、この実施例の電子機器としての携帯電話機１０は、ＣＰＵないしコンピュータと呼ばれるプロセッサ１２を含む。このプロセッサ１２には、バスを介して、ＲＡＭ１４、ＲＯＭ１６、フラッシュメモリ１８、キー入力装置２０、表示ドライバ２２、Ａ／Ｄ変換器２４、Ｄ／Ａ変換器２６、無線通信回路２８およびＲＴＣ３８が接続される。また、表示ドライバ２２には、ディスプレイ３０が接続される。Ａ／Ｄ変換器２４にはマイク３２が接続され、Ｄ／Ａ変換器２６にはアンプ（図示せず）を介してスピーカ３４が接続される。そして、無線通信回路２８には、アンテナ３６が接続される。
【００２８】
プロセッサ１２は、携帯電話機１０の全体制御を司る。ＲＡＭ１４は、プロセッサ１２の作業領域（描画領域を含む）ないしバッファ領域として用いられる。ＲＯＭ１６は、たとえばＥＥＰＲＯＭのような電気的に書き換え可能なメモリであり、プロセッサ１２によって実行される各種のプログラムやこれらのプログラムで利用される種々のデータを記憶する。フラッシュメモリ１８は、携帯電話機１０の所有者のプロフィール、アドレス帳およびスケジュール帳などのデータの他に、文字、画像、音声、音および映像のようなコンテンツのデータなどを記録する。
【００２９】
キー入力装置２０は、「０」〜「９」キー、「＊」キーおよび「＃」キーを含むダイヤルキー２０ａ（図２参照）などの複数のキーを備えており、利用者が操作したキーの情報（キーデータ）がプロセッサ１２に入力される。表示ドライバ２２は、プロセッサ１２の指示の下、当該表示ドライバ２２に接続されたディスプレイ３０の表示を制御する。
【００３０】
Ａ／Ｄ変換器２４は、当該Ａ／Ｄ変換器２４に接続されたマイク３２を通して入力される音声ないし音についてのアナログ音声信号を、デジタル音声信号に変換する。Ｄ／Ａ変換器２６は、デジタル音声信号をアナログ音声信号に変換（復号）して、アンプを介してスピーカ３４に与える。したがって、アナログ音声信号に対応する音声ないし音がスピーカ３４から出力される。
【００３１】
無線通信回路２８は、たとえばＣＤＭＡ(Code Division Multiple Access：符号分割多重接続)方式での無線通信を行うための回路である。たとえば、利用者がキー入力装置２０を用いて発呼を指示すると、無線通信回路２８は、プロセッサ１２の指示の下、発呼操作を実行し、アンテナ３６を介して発呼信号を出力する。発呼信号は、基地局および通信網（図示せず）を経て相手の電話機に送信される。そして、相手の電話機において着呼操作が行われると、接続状態（通信可能状態）が確立され、プロセッサ１２は通話処理を実行する。
【００３２】
通常の通話処理について具体的に説明すると、相手の電話機から送られてきた変調音声信号（高周波信号）が、アンテナ３６によって受信される。受信された変調音声信号には、無線通信回路２８によって復調処理および復号処理が施される。これらの処理によって得られた受話音声信号は、Ｄ／Ａ変換器２６によってアナログ音声信号に変換された後、スピーカ３４から出力される。一方、マイク３２を通して取り込まれた送話音声信号は、Ａ／Ｄ変換器２４によってデジタル音声信号に変換された後、プロセッサ１２に与えられる。デジタル音声信号に変換された送話音声信号には、プロセッサ１２の指示の下、無線通信回路２８によって符号化処理および変調処理が施され、アンテナ３６を介して出力される。したがって、変調音声信号は、基地局および通信網を介して相手の電話機に送信される。
【００３３】
また、相手の電話機からの発呼信号がアンテナ３６によって受信されると、無線通信回路２８は、着信（着呼）をプロセッサ１２に通知する。これに応じて、プロセッサ１２は、表示ドライバ２２を制御して、着信通知に記述された発信元情報（電話番号または発信者名或いはその両方）をディスプレイ３０に表示する。また、これと同時またはほぼ同時に、プロセッサ１２は、着信通知用のスピーカ（図示せず）から着信音（または、着信メロディ、着信音声）を出力する。利用者が、キー入力装置２０を用いて着呼を指示すると、無線通信回路２８は、プロセッサ１２の指示の下、着呼操作を実行し、接続状態（通信可能状態）が確立され、プロセッサ１２は上述した通話処理を実行する。
【００３４】
さらに、プロセッサ１２は、ＲＴＣ３８から少なくとも現在時刻を取得する。たとえば、プロセッサ１２は、上述したように、表示ドライバ２２を制御して、ディスプレイ３０に現在時刻を表示（時計表示）する。
【００３５】
図２は、図１に示した携帯電話機１０の外観図である。この図２を参照して、携帯電話機１０は板状に形成されたケース（筐体）４０を有している。ケース４０には、上述したディスプレイ３０がその表示面を露出するように設置される。図２からも分かるように、ディスプレイ３０の表示面は、ケース４０の上側のほぼ半分を占める大きさを有している。また、ディスプレイ３０の下方には、キー入力装置２０が各キーの押圧部（操作部）をケース４０から露出するように配置される。この実施例では、キー入力装置２０は、ダイヤルキー２０ａ、発話キー２０ｂ、終話キー２０ｃ、クリア／メモキー２０ｄ、センターキー２０ｅ、上方向キー２０ｆ、左方向キー２０ｇ、下方向キー２０ｈ、右方向キー２０ｉ、メールキー２０ｊおよびアドレス帳キー２０ｋによって構成される。
【００３６】
なお、各キー２０ａ−２０ｋの配置やデザインは、図２に示す内容に限定される必要はなく、任意に設定可能である。また、キーの数は携帯電話機２０の機能に応じて適宜増減させてよい。
【００３７】
たとえば、利用者は、ディスプレイ３０の表示を確認しながら、ダイヤルキー２０ａを操作して、電話番号を入力したり、メールアドレスを入力したり、件名を入力したり、本文を入力したりする。また、通話キー２０ｂによって音声発信操作やメール送信操作を行い、終話キー２０ｃによって通話終了操作やメール機能等の各種機能の終了操作（中断または中止の操作）を行う。さらに、クリア／メモキー２０ｄを操作して、電話番号などの入力内容を消去したり、メモ機能を起動させたりする。さらにまた、上方向キー２０ｆ、左方向キー２０ｇ、下方向キー２０ｈ、右方向キー２０ｉ（これらをまとめて「カーソルキー」ということがある）およびセンターキー２０ｅを操作することにより、各種のメニューについてのＧＵＩの選択や確定を行う。また、メールキー２０ｊを操作することで、メール機能に対応するＧＵＩを表示させ、アドレス帳キー２０ｋを操作することで、アドレス帳データを閲覧するためのＧＵＩを表示させる。ただし、メールキー２０ｊおよびアドレス帳キー２０ｋは、他の機能についてのＧＵＩの選択を行うために用いられることもある。
【００３８】
また、図２に示すように、ケース４０には、その上端部において一部が突出するように、上述したアンテナ３６が設けられる。さらに、図２に示すように、ケース４０には、その上下端部であり、ディスプレイ３０の表示面およびキー入力装置２０の押圧部が設けられる側の面に、孔４２ａおよび孔４２ｂが設けられる。図示は省略するが、孔４２ａが設けられる位置に対応して、ケース４０の内部に上述したスピーカ３４が設けられる。また、図示は省略するが、孔４２ｂが設けられる位置に対応して、ケース４０の内部に上述したマイク３２が設けられる。したがって、利用者は、スピーカ３４から出力される音声（音）を聞くことができ、マイク３２に自身の発言（発話）を入力することができる。
【００３９】
このような構成の携帯電話機１０では、電子メールの送受信が可能である。たとえば、図３（Ａ）に示すように、ディスプレイ３０は、表示領域３０ａと表示領域３０ｂとを有している。表示領域３０ａには、たとえば、電波強度を示す画像、電池残量を示す画像および現在時刻（西暦および日付を含む場合もある）を示す画像が表示される。図示は省略するが、表示領域３０ｂには、待ち受け画面が表示されたり、メニュー画面が表示されたり、アドレス帳、電卓、電子メール（以下、単に「メール」ということがある）などの各種の機能を実行する際に必要な画面が表示されたりする。
【００４０】
図３（Ｂ）には、受信した同報メール（受信メール）の確認画面１００の例が示される。図３（Ｂ）では、簡単のため、表示領域３０ｂのみを示してあるが、表示領域３０ａは、図３（Ａ）と同様である。以下、画面の図について同様である。受信メールの確認画面１００では、表示領域３０ｂに、表示欄１０２、１０４、１０６および１０８が設けられる。
【００４１】
表示欄１０２には、差出人の名称やメールアドレスが表示される。この名称は、メールアドレスに対応してアドレス帳に登録されたものである。後述する表示欄に表示される名称について同様である。ただし、アドレス帳は、携帯電話機１０の内部に記憶されるアドレス帳データに対応するものである。名称がアドレス帳に登録されていない場合には、メールアドレスがそのまま表示欄１０２に表示される。この実施例では、アドレス帳にメールアドレス等が登録されていることを前提として、各種の画面において、差出人（Ｆｒｏｍ）、宛先（Ｔｏ）、Ｃｃ（Ｃａｒｂｏｎ  ｃｏｐｙ）の表示欄に、名称（たとえば、Ａさん、Ｂさん、Ｃさん、…）を記載してある。ただし、実際に、差出人、宛先、Ｃｃとしてメールに設定されるのは、メールアドレスである。
【００４２】
表示欄１０４には、Ｃｃの送り先の名称が表示される。ただし、この表示欄１０４には、携帯電話機１０自身の利用者の名称は表示されない。表示欄１０６には、件名（Ｓｕｂ：ｓｕｂｊｅｃｔ）の内容が表示される。そして、表示欄１０８には、本文（ｂｏｄｙ）の内容が表示される。また、表示欄１０８の左下部には、ボタン画像１０８ａが設けられる。このボタン画像１０８ａは、受信メールに対して返信することを選択するためのＧＵＩである。ただし、メールキー２０ｊが操作（オン）されると、ボタン画像１０８ａが選択（オン）される。
【００４３】
図３（Ｂ）に示すような受信メールの確認画面１００において、ボタン画像１０８ａがオンされると、図示は省略するが、全員へ返信（以下、「全返信」という）するか、差出人のみへ返信するかを選択するための画面が、たとえば、確認画面１００の前面に表示される。ここで、全返信が選択されると、図４（Ａ）に示すような返信メールの作成画面１２０がディスプレイ３０に表示される。図示は省略するが、差出人のみへ返信することが選択された場合には、図４（Ａ）に示す返信メールの作成画面１２０において、表示欄１２４に名称が記入されていない作成画面がディスプレイ３０に表示される。
【００４４】
図４（Ａ）に示す返信メールの作成画面１２０では、表示領域３０ｂに、表示欄１２２、１２４、１２６、１２８が設けられる。表示欄１２２には、宛先の名称が表示される。表示欄１２４には、Ｃｃの名称が表示される。表示欄１２６には、件名の内容が表示される。ここでは、受信メールに対する返信メールを作成するため、表示欄１２２には、受信メールの差出人の表示欄１０２に記載の名称が表示される。また、表示欄１２４には、受信メールのＣｃの表示欄１０４に記載の名称が記載される。さらに、表示欄１２６には、受信メールの件名の表示欄１０６に記載の内容に、返信メールであることを意味する文字列（Ｒｅ：）が追加された内容の件名が表示される。
【００４５】
また、図４（Ａ）では空白にしてあるが、表示欄１２８には、本文（返信する内容）が記載される。また、表示欄１２８の下部には、ボタン画像１２８ａおよび１２８ｂが設けられる。ボタン画像１２８ａは、メールを送信するためのＧＵＩである。ボタン画像１２８ｂは、メールの送り先（この実施例では、宛先やＣｃの送り先）を編集するためのＧＵＩである。ただし、メールキー２０ｊがオンされると、ボタン画像１２８ａがオンされる。また、センターキー２０ｅがオンされると、ボタン画像１２８ｂがオンされる。
【００４６】
図４（Ａ）に示すような返信メールの作成画面１２０では、表示欄１２２や表示欄１２４に表示された送り先を追加したり、削除したりすることができる。ただし、表示欄１２２には少なくとも１つの送り先すなわち宛先を設定する必要がある。
【００４７】
通常、送り先を追加する場合には、送り先を追加する表示欄１２２または表示欄１２４を指定して、ボタン画像１２８ｂをオンすることにより、宛先やＣｃの編集画面（図示せず）を開き、さらに、アドレス帳を用いて名称を入力したり、メールアドレスを直接入力したりする。また、送り先を削除する場合には、削除する送り先が表示された表示欄１２２、１２４を指定して、ボタン画像１２８ｂをオンすることにより、編集画面（図示せず）を開き、左キー２０ｇや右キー２０ｉを用いてカーソル（図示せず）を所望の位置（削除する名称やメールアドレスの位置）に移動させ、クリア／メモキー２０ｄを操作して、名称やメールアドレスの文字列を消去する。
【００４８】
しかし、一旦送り先を消去した後に、再度その送り先にメールを送信したいと思い直した場合には、受信メールの確認画面１００を再度開いて、初めから返信メールを作成し直すか、上記のような編集画面を開いて、アドレス帳を用いて名称を入力したり、メールアドレスを直接入力したりしてその送り先を追加する必要がある。これでは、操作が面倒である。また、たとえば、受信メールの確認画面１００と返信メールの作成画面１２０とを比較して、削除したり追加したりした送り先を確認する必要があるので、そのような確認も面倒であり、分かり難い。
【００４９】
そこで、この実施例では、宛先やＣｃのリストを作成するとともにディスプレイ３０に表示して、当該リストを用いて、返信メールを送信するか否かを個別に設定可能にしてある。
【００５０】
図４（Ｂ）には、ディスプレイ３０に表示されるＣｃの編集画面１４０の例が示される。この編集画面１４０は、図４（Ａ）に示した返信メールの作成画面１２０において、表示欄１２４を指示（選択）した状態で、ボタン画像１２８ｂをオンすると、表示される。図４（Ｂ）に示すＣｃの編集画面１４０では、表示領域３０ｂに、表示欄１４２および表示欄１４４が設けられる。表示欄１４２には、Ｃｃについてのリストである旨が表示される。表示欄１４４には、Ｃｃの送り先が表示されるとともに、その下部にボタン画像１４４ａ、１４４ｂ、１４４ｃが設けられる。
【００５１】
図４（Ｂ）から分かるように、表示欄１４４では、チェックボックス１４４０、１４４２、１４４４、１４４６の各々に対応して、受信メールの確認画面１００（返信メールの作成画面１２０）においてＣｃの表示欄１０４（１２４）に表示された名称が表示される。
【００５２】
ボタン画像１４４ａは、新規の送り先を入力（追加）するためのＧＵＩである。このボタン画像１４４ａがオンされると、アドレス帳から名称を選択したり、メールアドレスを直接入力したりして、送り先を追加することができる。したがって、図５（Ｂ）に示すように、送り先の追加されたＣｃの編集画面１４０が表示される。具体的には、チェックボックス１４４８と追加された送り先の名称（ここでは、Ｆさん）が表示される。このとき、追加された名称やメールアドレスの近傍に、追加されたことを示す記号（文字のみの場合も含む）１４５０が表示される。ただし、記号１４５０を表示することに代えて、追加されたことを示す図形や画像を表示してもよく、記号、図形または画像などを表示することに代えて、追加された名称やメールアドレスを明滅させたり、他の名称とは異なる色や輝度で表示したりしてもよい。つまり、追加されたことの表現方法は、様々である。
【００５３】
ボタン画像１４４ｂは、チェックボックス１４４０、１４４２、１４４４、１４４６の状態を変化（この実施例では、反転）させるためのＧＵＩである。チェックボックス１４４０−１４４６は、黒色で塗りつぶした状態が真の状態であり、送り先として（返信メールの送信を実施することを）選択していることが設定される。図４（Ｂ）では図示していないが、チェックボックス１４４０−１４４６は、空白の状態（図５（Ｂ）参照）が偽の状態であり、送り先として選択されていないことが設定される。たとえば、ボタン画像１４４ｂがオンされると、表示欄１４４に表示された名称のうち、カーソル（図示せず）によって指定された名称に対応して表示されたチェックボックス１４４０、１４４２、１４４４、１４４６の状態が反転される。したがって、図５（Ａ）に示す状態において、「Ｃさん」の表示にカーソルを合わせて、ボタン画像１４４ｂをオンすると、チェックボックス１４４２の状態が反転され、空白にされる。つまり、返信メールの送り先から除外される。
【００５４】
ボタン画像１４４ｃは、返信メールについてのＣｃの送り先の編集を終了するためのＧＵＩである。このボタン画像１４４ｃがオンされると、Ｃｃの編集を終了し、図４（Ａ）に示したような返信メールの作成画面１２０に戻る。このとき、Ｃｃの送り先（メールを送信することが）として選択（設定）された名称やメールアドレスが、返信メールの作成画面１２０の表示欄１２４に表示される。また、図５（Ｂ）に示すような状態において、ボタン画像１４４ｃがオンされると、図６に示すような返信メールの作成画面１２０に戻る。図６からも分かるように、Ｃｃの送り先から除外された名称（ここでは、Ｃさん）は、作成画面１２０のＣｃの表示欄１２４に表示されない。
【００５５】
なお、詳細な説明は省略するが、さらに送り先を編集する場合には、図６の作成画面１２０において、ボタン画像１２８ｂをオンすればよい。たとえば、Ｃｃの送り先を編集する場合には、図５（Ｂ）に示すような、Ｃｃの編集画面１４０がディスプレイ３０に表示され、名称やメールアドレスを追加したり、送り先として選択したり、送り先から除外したりすることができる。
【００５６】
ただし、Ｃｃの編集画面１４０では、メールキー２０ｊがオンされると、ボタン画像１４４ａがオンされる。また、センターキー２０ｅがオンされると、ボタン画像１４４ｂがオンされる。さらに、アドレス帳キー２０ｋがオンされると、ボタン画像１４４ｃがオンされる。
【００５７】
また、このように、同報メールに対して、選択的に送り先を指定して返信メールを送信した場合には、事後的に、誰に送ったかまたは誰に送っていないかを知りたい場合もある。たとえば、返信メールの内容を知っている者を前提として新しいメールを作成したり、前回返信メールを送信しなかった者に、当該返信メールを後で送信したりする場合などが該当する。
【００５８】
したがって、この実施例では、送信済みメールにおいて、送り先についての名称やメールアドレスを確認する場合にも、宛先やＣｃのリストを表示するようにしてある。
【００５９】
以下、具体的に説明する。図７（Ａ）には、送信済みメールの確認画面２００がディスプレイ３０に表示される。この確認画面２００では、表示領域３０ｂに、表示欄２０２、２０４、２０６、２０８が設けられる。表示欄２０２には、宛先の名称が表示される。表示欄２０４には、Ｃｃの送り先の名称が表示される。表示欄２０６には、件名の内容が表示される。そして、表示欄２０８には、本文の内容が表示される。また、表示欄２０８の中央下部には、ボタン画像２０８ａが設けられる。このボタン画像２０８ａは、宛先リストを表示するためのＧＵＩである。センターキー２０ｄがオンされると、ボタン画像２０８ａがオンされる。
【００６０】
図７（Ａ）に示す確認画面２００において、Ｃｃの表示欄２０６が指示され、ボタン画像２０８ａがオンされると、図７（Ｂ）に示すＣｃのリストの表示画面２２０がディスプレイ３０に表示される。この表示画面２２０では、表示領域３０ｂに、表示欄２２２および表示欄２２４が設けられる。図７（Ｂ）に示す宛先リストの表示画面２２０は、図４、図５（Ａ）および図５（Ｂ）に示したＣｃの編集画面１４０とほぼ同じであるが、表示欄２２４に設けられるボタン画像が異なる。このＣｃのリストの表示画面２００では、表示欄２２４の右下部に、ボタン画像２２４ａのみが設けられる。ボタン画像２２４ａは、Ｃｃのリストの表示画面２２０を閉じるためのＧＵＩである。アドレス帳キー２０ｋがオンされると、ボタン画像２２４ａがオンされる。このボタン画像２２４ａがオンされると、表示画面２２０が閉じられて、図７（Ａ）に示した送信済みメールの確認画面２００に戻る。
【００６１】
なお、図示は省略するが、送信済みメールの確認画面２００において、宛先の表示欄２０２が指示され、ボタン画像２０８ａがオンされると、宛先のリストの表示画面がディスプレイ３０に表示される。
【００６２】
このように、送信済みメールについて、送り先のリストを表示するので、メールを送信した者とメールを送信していない者とを容易に知ることができ、また、メールを送信する際に送り先として追加した者を容易に知ることができる。
【００６３】
図８は図１に示したＲＡＭ１４のメモリマップ３００の例を示す図解図である。図８に示すように、ＲＡＭ１４には、プログラム記憶領域３０２およびデータ記憶領域３０４が設けられる。プログラム記憶領域３０２には、携帯電話機１０の全体制御を実行するためのプログラム（情報処理プログラム）が記憶され、情報処理プログラムは、メイン処理プログラム３０２ａ、画像生成プログラム３０２ｂ、画像表示プログラム３０２ｃ、通信プログラム３０２ｄ、メール作成プログラム３０２ｅおよび送り先編集プログラム３０２ｆなどによって構成される。
【００６４】
メイン処理プログラム３０２ａは、情報処理プログラムのメインルーチンを処理するためのプログラムである。画像生成プログラム３０２ｂは、各種の画面（１００、１２０、１４０、２００、２２０など）をディスプレイ３０に表示するための表示画像データを、後述する画像データ３０４ａやテキストデータ（図示せず）などを用いて生成するためのプログラムである。画像表示プログラム３０２ｂに従って生成された表示画像データを、ディスプレイ３０に表示するためのプログラムである。
【００６５】
通信プログラム３０２ｄは、メールの送受信処理を行うためのプログラムである。メール作成プログラム３０２ｅは、新規の送信メールや返信メールを作成するためのプログラムである。この実施例では、件名や本文を入力したり、画像、音声、写真などのコンテンツについてのデータを添付したりするなど、宛先やＣｃの編集以外の編集処理が実行される。送り先編集プログラム３０２ｆは、宛先やＣｃのリストの作成および宛先やＣｃの名称またはメールアドレスの追加、送り先としての設定または送り先からの削除を行うためのプログラムである。
【００６６】
図示は省略するが、プログラム記憶領域３０２には、通話処理を行うためのプログラム、音を出力するためのプログラムおよびアラーム機能、電卓機能のような各種の機能を実行するためのプログラムのような他のプログラムも記憶される。
【００６７】
データ記憶領域３０４には、画像データ３０４ａ、アドレス帳データ３０４ｂ、送信済みメールデータ３０４ｃ、受信済みメールデータ３０４ｄ、宛先のリストデータ３０４ｅおよびＣｃのリストデータ３０４ｆが記憶される。
【００６８】
なお、図示は省略するが、データ記憶領域３０４には、着信音（メロディ、音楽、歌）や効果音（キー操作の音など）についての音データやコンテンツデータなども記憶される。また、図示は省略するが、情報処理プログラムの実行に必要なフラグやカウンタ（タイマ）なども設定される。
【００６９】
画像データ３０４ａは、表示画像データを生成するためのポリゴンデータ、テクスチャデータ、キャラクタデータ（ボタン画像やアイコンのデータなど）などのデータである。アドレス帳データ３０４ｂは、通話や通信を行う対象者（相手先）についての名称、電話番号、メールアドレスなどが、対象者毎に登録されたデータである。
【００７０】
送信済みメールデータ３０４ｃは、他の電子機器を送り先として送信したメールについてのデータである。具体的には、図９（Ａ）に示すように、送信済みメールデータ３０４ｃは、第１送信済みメールデータ４００、第２送信済みメールデータ４０２、…、第ｍ送信済みメールデータ４０ｍ（ｍは自然数）を含む。第１送信済みメールデータ４００は、宛先のアドレスデータ４００ａ、Ｃｃのアドレスデータ４００ｂ、件名のデータ４００ｃ、本文のデータ４００ｄおよび送り先リストデータ４００ｅなどを含む。
【００７１】
宛先のアドレスデータ４００ａは、第１送信済みメールの宛先として設定された１または複数のメールアドレスについてのデータである。Ｃｃのアドレスデータ４００ｂは、第１送信済みメールのＣｃとして設定された１または複数のメールアドレスについてのデータである。ただし、第１送信済みメールにおいて、Ｃｃにメールアドレスが設定されていない場合には、Ｎｕｌｌデータが記憶される。
【００７２】
件名のデータ４００ｃは、第１送信済みメールの件名の欄に入力された内容、すなわち文字、記号または絵文字或いはこれらの組み合わせについてのデータである。本文のデータ４００ｄは、第１送信済みメールの本文の欄に入力された内容、すなわち文字、記号または絵文字或いはこれらの組み合わせについてのデータである。送り先リストデータ４００ｅは、宛先のリストおよびＣｃのリストについてのデータである。Ｃｃのリストについてのデータ（Ｃｃのリストデータ）については後述する。また、宛先のリストについてのデータは、Ｃｃのリストデータと同様であるため、図示および説明は省略することにする。ただし、電子メール（返信メール）を作成する際に、宛先のリストまたはＣｃのリストが作成されない場合には、作成されたリストについてのデータのみが記憶される。また、電子メール（返信メール）を作成する際に、宛先のリストおよびＣｃのリストの両方が作成されない場合には、送り先リストデータ４００ｅ自体が記憶されない。
【００７３】
図示は省略するが、第１送信済みメールデータ４００には、電子メールを送信した日時のデータや添付ファイルのデータなども含まれる。
【００７４】
第２送信済みメールデータ４０２、…、第ｍ送信済みメールデータ４０ｍについても、第１送信済みメールデータ４００と同様であるため、重複した説明は省略する。
【００７５】
図８に戻って、受信済みメールデータ３０４ｄは、他の電子機器からこの携帯電話機１０を送り先として送信されたメールのうち、当該携帯電話機１０で受信したメールについてのデータである。図９（Ｂ）に示すように、受信済みメールデータ３０４ｄは、第１受信済みメールデータ４２０、第２受信済みメールデータ４２２、…、第ｎ受信済みメールデータ４２ｎ（ｎは自然数）を含む。第１受信済みメールデータ４２０は、差出人のアドレスデータ４２０ａ、Ｃｃのアドレスデータ４２０ｂ、件名のデータ４２０ｃおよび本文のデータ４２０ｄなどを含む。
【００７６】
差出人のアドレスデータ４２０ａは、第１受信済みメールの差出人の欄に設定されたメールアドレスについてのデータである。Ｃｃのアドレスデータ４２０ｂ、件名のデータ４２０ｃおよび本文のデータ４２０ｄについては、上述した第１送信済みメールデータ４００と同様であるため、重複した説明は省略する。
【００７７】
図示は省略するが、第１受信済みメールデータ４２０には、電子メールを受信した日時のデータや添付ファイルのデータなども含まれる。
【００７８】
第２受信済みメールデータ４２２、…、第ｎ受信済みメールデータ４２ｎについても、第１受信済みメールデータ４２０と同様であるため、重複した説明は省略する。
【００７９】
なお、詳細な説明は省略するが、アドレス帳データ３０４ｂ、送信済みメールデータ３０４ｃおよび受信済みメールデータ３０４ｄは、フラッシュメモリ１８にバックアップされる。
【００８０】
図８に戻って、宛先のリストデータ３０４ｅは、電子メール（返信メール）を作成する際に作成された宛先についてのリストのデータである。後で詳細に説明するＣｃのリストデータ３０４ｆと同様であるため、詳細な説明は省略する。Ｃｃのリストデータ３０４ｆは、電子メール（返信メール）を作成する際に作成されたＣｃについてのリストのデータである。
【００８１】
なお、宛先のリストデータ３０４ｅまたは／およびＣｃのリストデータ３０４ｆが送り先データ（４００ｅ）として、上述の第ｍ送信済みメールデータ（４００、４０２、…、４０ｍ）に含まれるのである。
【００８２】
図１０に示すように、Ｃｃのリストデータ３０４ｆに従うＣｃのリストは、送り先の名称（メールアドレス）の各々に対応して、送信実施フラグおよび追加フラグが記述される。送り先の名称は、返信メールを作成する場合の元のメール（受信メール）のＣｃに設定されたメールアドレスに対応する名称である。送信実施フラグは、返信メールを送信するか否かを判別するためのフラグであり、１ビットのレジスタで構成される。送信実施フラグがオンであれば、レジスタにはデータ値として「１」が設定され、メールの送信を実施することが設定される。一方、送信実施フラグがオフであれば、レジスタにはデータ値として「０」が設定され、メールの送信を実施しないことが設定される。追加フラグは、元のメールのＣｃに設定されて（含まれて）いなかった送り先であって、返信メールの作成時に、Ｃｃとして追加されたメールアドレス（名称）かどうかを判別するためのフラグである。この追加フラグもまた、１ビットのレジスタで構成される。追加フラグがオンであれば、レジスタにはデータ値として「１」が設定され、追加された送り先であることが設定される。追加フラグがオフであれば、レジスタにはデータ値として「０」が設定され、追加された送り先ではないことが設定される。
【００８３】
図１１および図１２は、図１に示すプロセッサ１２の返信メール作成処理のフロー図である。利用者が携帯電話機１０を用いて、受信メールの表示指示を入力すると、図１１に示すように、プロセッサ１２は返信メール作成処理を開始し、ステップＳ１で、表示指示の有った受信メールの画面データを読み出す。ここでは、表示指示の有った受信メールについての受信済みメールデータおよびその確認画面用のフレーム等の画像データが読み出される。次のステップＳ３では、図３に示したような、受信メールの確認画面１００をディスプレイ３０に表示する。そして、ステップＳ５で、返信ボタン（ボタン画像１０８ａ）が選択（オン）されたかどうかを判断する。つまり、プロセッサ１２は、メールキー２０ｊがオンされたかどうかを判断する。
【００８４】
ステップＳ５で“ＮＯ”であれば、つまりメールキー２０ｊがオンされていなければ、ステップＳ７で、終了かどうかを判断する。ここでは、プロセッサ１２は、クリア／メモキー２０ｄまたは終話キー２０ｃがオンされたかどうかを判断する。ステップＳ７で“ＮＯ”であれば、つまり終了でなければ、そのままステップＳ５に戻る。一方、ステップＳ７で“ＹＥＳ”であれば、つまり終了であれば、そのまま返信メール作成処理を終了する。
【００８５】
なお、図示は省略するが、プロセッサ１２は、ステップＳ７で“ＹＥＳ”の場合には、受信メールの確認画面１００を閉じて、電子メールについてのメニュー画面や待ち受け画面をディスプレイ３０に表示する。
【００８６】
また、ステップＳ５で“ＹＥＳ”であれば、つまり返信ボタンが選択されれば、ステップＳ９で、全返信かどうかを判断する。図示は省略するが、返信ボタンが選択された場合には、上述したように、全返信か差出人のみへの返信かの選択画面が表示され、この選択画面において、全返信か差出人のみへの返信かが選択される。
【００８７】
ステップＳ９で“ＹＥＳ”であれば、つまり全返信であれば、ステップＳ１１で、宛先のリストとＣｃのリストとを作成して、ステップＳ１５に進む。一方、ステップＳ９で“ＮＯ”であれば、つまり差出人のみへの返信であれば、ステップＳ１３で、宛先のリストを作成して、ステップＳ１５に進む。ここで、宛先のリストは、受信メールの差出人として設定されたメールアドレス（名称）を用いて作成される。したがって、宛先のリストの作成当初においては、受信メールの差出人の名称のみが当該宛先のリストに含まれている。また、Ｃｃのリストは、受信メールのＣｃとして設定されたメールアドレス（名称）を用いて作成される。
【００８８】
ステップＳ１５では、図４（Ａ）に示したような、返信メールの作成画面１２０を表示する。ただし、差出人のみへの返信の場合には、返信メールの作成画面１２０が表示された当初およびその後に追加がなければ、Ｃｃの表示欄１２４は空欄である。
【００８９】
続いて、ステップＳ１７では、宛先の編集が選択されたかどうかを判断する。つまり、プロセッサ１２は、宛先の表示欄１２２が指示された状態で、ボタン画像１２８ｂがオンされたかどうかを判断する。ステップＳ１７で“ＮＯ”であれば、つまり宛先の編集が選択されていなければ、そのまま図１２に示すステップＳ２１に進む。一方、ステップＳ１７で“ＹＥＳ”であれば、つまり宛先の編集が選択されれば、ステップＳ１９で、後述する宛先の編集処理（図１３参照）を実行して、ステップＳ２１に進む。
【００９０】
図１２に示すように、ステップＳ２１では、Ｃｃの編集が選択されたかどうかを判断する。つまり、プロセッサ１２は、Ｃｃの表示欄１２４が指示された状態で、ボタン画像１２８ｂがオンされたかどうかを判断する。ステップＳ２１で“ＮＯ”であれば、つまりＣｃの編集が選択されていなければ、そのままステップＳ２５に進む。一方、ステップＳ２１で“ＹＥＳ”であれば、つまりＣｃの編集が選択されれば、ステップＳ２３で、後述するＣｃの編集処理（図１４参照）を実行して、ステップＳ２５に進む。
【００９１】
ステップＳ２５では、件名の編集が選択されたかどうかを判断する。つまり、プロセッサ１２は、件名の表示欄１２６が指示された状態で、ボタン画像１２８ｂがオンされたかどうかを判断する。ステップＳ２５で“ＮＯ”であれば、つまり件名の編集が選択されていなければ、そのままステップＳ２９に進む。一方、ステップＳ２５で“ＹＥＳ”であれば、つまり件名の編集が選択されれば、ステップＳ２７で、件名の編集処理を実行して、ステップＳ２９に進む。
【００９２】
なお、この実施例の件名の編集処理は、通常の電子メールの件名の編集処理と同じであり、既に周知であるため、詳細な説明は省略することにする。
【００９３】
ステップＳ２９では、本文の編集が選択されたかどうかを判断する。つまり、プロセッサ１２は、本文の表示欄１２８が指示された状態で、ボタン画像１２８ｂがオンされたかどうかを判断する。ステップＳ２９で“ＮＯ”であれば、つまり本文の編集が選択されていなければ、そのままステップＳ３３に進む。一方、ステップＳ２９で“ＹＥＳ”であれば、つまり本文の編集が選択されれば、ステップＳ３１で、本文の編集処理を実行して、ステップＳ３３に進む。
【００９４】
なお、この実施例の本文の編集処理は、通常の電子メールの本文の編集処理と同じであり、既に周知であるため、詳細な説明は省略することにする。
【００９５】
ステップＳ３３では、送信指示が有るかどうかを判断する。つまり、プロセッサ１２は、メールキー２０ｊがオンされることによって、送信ボタン１２８ａがオンされたかどうかを判断する。ステップＳ３３で“ＮＯ”であれば、つまり送信指示が無ければ、図１１に示したステップＳ１７に戻る。図示は省略するが、上方向キー２０ｆや下方向キー２０ｈの操作によって、返信メールの作成画面１２０において指示する表示欄１２２、１２４、１２６、１２８が変化される。
【００９６】
一方、ステップＳ３３で“ＹＥＳ”であれば、つまり送信指示があれば、ステップＳ３５で、送り先に設定されたメールアドレスにメール（返信メール）を送信する。つまり、宛先のリストやＣｃのリストで、送信実施フラグがオンにされた相手先にメールが送信されるのである。そして、ステップＳ３７で、宛先のリストおよびＣｃのリストを含めて、送信したメールを送信済みメールとして記憶して、返信メール作成処理を終了する。
【００９７】
図１３は、図１１のステップＳ１９に示した宛先の編集処理のフロー図である。この宛先の編集処理は、後述する図１４のＣｃの編集処理と同様であるため、重複した説明は省略する。
【００９８】
図１４は、図１１のステップＳ２１に示したＣｃの編集処理のフロー図である。図１４に示すように、プロセッサ１２は、Ｃｃの編集処理を開始すると、ステップＳ８１で、Ｃｃのリストを読み出す。ここでは、図１１のステップＳ１１で作成したＣｃのリストが読み出される。
【００９９】
次のステップＳ８３では、図４（Ｂ）に示したようなＣｃの編集画面１４０をディスプレイ３０に表示する。次のステップＳ８５では、チェックボタン（ボタン画像１４４ｂ）の操作が有るかどうかを判断する。つまり、プロセッサ１２は、センターキー２０ｅがオンされたかどうかを判断するのである。
【０１００】
ステップＳ８５で“ＹＥＳ”であれば、つまりチェックボタンの操作が有れば、ステップＳ８７で、指示されている名称（メールアドレス）に対応するチェックボックス（１４４０、１４４２、１４４４、１４４６）の状態を反転させて、ステップＳ８９で、指定されている名称（メールアドレス）に対応する送信実施フラグを更新して、ステップＳ８３に戻る。したがって、Ｃｃの編集画面が更新される。具体的には、プロセッサ１２は、ステップＳ８７では、チェックボックス（１４４０、１４４２、１４４４、１４４６）が塗り潰されている場合には空白にし、チェックボックス（１４４０、１４４２、１４４４、１４４６）が空白である場合には塗り潰す。また、プロセッサ１２は、ステップＳ８９では、ステップＳ８７においてチェックボックス（１４４０１４４２、１４４４、１４４６）が空白にされると、送信実施フラグをオフし、ステップＳ８７においてチェックボックス（１４４０、１４４２、１４４４、１４４６）が塗り潰されると、送信実施フラグをオンする。
【０１０１】
一方、ステップＳ８５で“ＮＯ”であれば、つまりチェックボタンの操作が無ければ、ステップＳ９１で、追加ボタン（ボタン画像１４４ａ）の操作が有るかどうかを判断する。ここでは、プロセッサ１２は、メールキー２０ｊがオンされたかどうかを判断する。ステップＳ９１で“ＹＥＳ”であれば、つまり追加ボタンの操作が有れば、ステップＳ９３で、利用者がメールアドレス（名称）を入力し、ステップＳ９５で、Ｃｃのリストにメールアドレス（名称）を追加するとともに、当該メールアドレスに対応する送信実施フラグおよび追加フラグをオンして、ステップＳ８３に戻る。したがって、Ｃｃの編集画面が更新される。図示は省略するが、上述したように、ステップＳ９５では、追加されたメールアドレス（名称）の近傍に記号１４５０が付与（表示）される。
【０１０２】
また、ステップＳ９１で“ＮＯ”であれば、つまり追加ボタンの操作が無ければ、ステップＳ９７で、完了ボタン（ボタン画像１４４ｃ）の操作が有るかどうかを判断する。ここでは、プロセッサ１２は、アドレス帳キー２０ｋがオンされたかどうかを判断する。ステップＳ９７で“ＮＯ”であれば、つまり完了ボタンの操作が無ければ、そのままステップＳ８５に戻る。一方、ステップＳ９７で“ＹＥＳ”であれば、つまり完了ボタンの操作が有れば、ステップＳ９９で、Ｃｃのリストに従って返信メールのＣｃの送り先を設定し、Ｃｃの編集処理を終了する。つまり、ステップＳ９９では、プロセッサ１２は、Ｃｃのリストにおいて、送信実施フラグがオンである名称（メールアドレス）を、返信メールについてのＣｃの送り先として設定するのである。
【０１０３】
図１５および図１６は、図１に示すプロセッサ１２の送信済みメール表示処理のフロー図である。利用者が携帯電話機１０を操作することにより、送信済みのメールの表示を指示すると、プロセッサ１２は、送信済みメール表示処理を開始し、ステップＳ１１１で、指示された送信済みのメールについての第ｍ送信済みメールデータ（４００、４０２、…４０ｍ）を読み出す。次のステップＳ１１３では、図７（Ａ）に示したような、送信済みメールの確認画面２００をディスプレイ３０に表示する。
【０１０４】
そして、ステップＳ１１５で、宛先の表示指示が有るかどうかを判断する。ここでは、プロセッサ１２は、宛先の表示欄２０２が指示された状態で、ボタン画像２０８ａがオンされたかどうかを判断する。ステップＳ１１５で“ＹＥＳ”であれば、つまり宛先の表示指示が有れば、ステップＳ１１７で、宛先のリストの表示画面（図示せず）をディスプレイ３０に表示して、図１６に示すステップＳ１３１に進む。一方、ステップＳ１１５で“ＮＯ”であれば、ステップＳ１１９で、Ｃｃの表示指示が有るかどうかを判断する。ここでは、プロセッサ１２は、Ｃｃの表示欄２０４が指示された状態で、ボタン画像２０８ａがオンされたかどうかを判断する。
【０１０５】
ステップＳ１１９で“ＹＥＳ”であれば、つまりＣｃの表示指示が有れば、ステップＳ１２１で、図７（Ｂ）に示したような、Ｃｃのリストの表示画面２２０をディスプレイ３０に表示して、ステップＳ１３１に進む。一方、ステップＳ１１９で“ＮＯ”であれば、つまりＣｃの表示指示が無ければ、ステップＳ１２３で、件名の表示指示が有るかどうかを判断する。ここでは、プロセッサ１２は、件名の表示欄２０６が指示された状態で、ボタン画像２０８ａがオンされたかどうかを判断する。
【０１０６】
ステップＳ１２３で“ＹＥＳ”であれば、つまり件名の表示指示が有れば、ステップＳ１２５で、件名の表示画面（図示せず）をディスプレイ３０に表示して、ステップＳ１３１に進む。一方、ステップＳ１２３で“ＮＯ”であれば、つまり件名の表示指示が無ければ、ステップＳ１２７で、本文の表示指示が有るかどうかを判断する。ここでは、プロセッサ１２は、本文の表示欄２０８が指示された状態で、ボタン画像２０８ａがオンされたかどうかを判断する。
【０１０７】
ステップＳ１２７で“ＹＥＳ”であれば、つまり本文の表示指示が有れば、ステップＳ１２９で、本文の表示画面（図示せず）をディスプレイ３０に表示して、ステップＳ１３１に進む。一方、ステップＳ１２９で“ＮＯ”であれば、つまり本文の表示指示が無ければ、ステップＳ１３１で、完了ボタンの操作が有るかどうかを判断する。ここでは、プロセッサ１２は、アドレス帳キー２０ｋがオンされることによって、ボタン画像２２４ａがオンされたかどうかを判断する。
【０１０８】
ステップＳ１３１で“ＹＥＳ”であれば、つまり完了ボタンの操作が有れば、宛先、Ｃｃ、件名或いは本文の表示画面を閉じて、送信済みメールの確認画面２００に戻ると判断して、そのままステップＳ１１３に戻る。一方、ステップＳ１３１で“ＮＯ”であれば、つまり完了ボタンの操作が無ければ、ステップＳ１３３で、閉じる操作が有るかどうかを判断する。つまり、送信済みメールの確認画面２００を閉じる指示が入力されたかどうかを判断する。具体的には、プロセッサ１２は、送信済みメール確認画面２００をディスプレイに表示している場合に、クリア／メモキー２０ｄや終話キー２０ｃがオンされたかどうかを判断するのである。
【０１０９】
ステップＳ１３３で“ＮＯ”であれば、つまり閉じる操作が無ければ、そのまま図１５に示したステップＳ１１５に戻る。一方、ステップＳ１３３で“ＹＥＳ”であれば、送信済みメール表示処理を終了する。図示は省略するが、上述したように、ステップＳ１３３で“ＹＥＳ”と判断された場合には、送信済みメール確認画面２００が閉じられる。また、図示は省略するが、上方向キー２０ｆや下方向キー２０ｈの操作によって、送信済みメールの確認画面２００において指示する表示欄２０２、２０４、２０６、２０８が変化される。
【０１１０】
この実施例によれば、受信した同報メールに返信メールを作成する場合には、宛先やＣｃのリストを作成および表示し、表示されたリストにおいて返信メールを送信するか否かを設定したり、送り先を追加したりするので、操作が簡単である。
【０１１１】
また、この実施例によれば、送信済みのメールについての宛先やＣｃのリストを表示するので、当該メールを送信した者と送信していない者とを容易に知ることができる。
【０１１２】
他の実施例の携帯電話機１０では、受信した同報メールに対する返信メールを作成する際に、宛先とＣｃとの切り替えを、宛先やＣｃの編集画面において設定できるようにした以外は、上述の実施例と同じであるため、重複した説明は省略する。
【０１１３】
図１７（Ａ）に示すように、他の実施例のＣｃの編集画面４００では、Ｃｃとしてメールを送信するか否かを設定するためのチェックボックス４０５０、４０５２、４０５４、４０５６に加えて、宛先（Ｔｏ）としてメールを送信するか否かを設定するためのチェックボックス４０４０、４０４２、４０４４、４０４６が設けられる。たとえば、チェックボタンのボタン画像４０４ｂがオンされる毎に、Ｃｃとしてメールを送信すること、メールを送信しないこと、Ｔｏ（宛先）としてメールを送信することが順次設定される。図示は省略するが、宛先の編集画面についても同様であるが、宛先の編集画面の場合には、Ｔｏとしてメールを送信すること、Ｃｃとしてメールを送信すると、メールを送信しないことが順次設定される。
【０１１４】
したがって、他の実施例では、たとえば、送信実施フラグは２ビットのレジスタで構成され、一方のビット（説明の都合上、「第１ビット」と呼ぶ）が宛先としてメールを送信するか否かを判別するために用いられ、他方のビット（説明の都合上、「第２ビット」と呼ぶ）がＣｃとしてメールを送信するか否かを判別するために用いられる。したがって、宛先としてメールを送信することが選択された場合には、第１ビットにデータ値として「１」が設定されるとともに、第２ビットにデータ値として「０」が設定される。また、Ｃｃとしてメールを送信することが選択された場合には、第１ビットにデータ値として「０」が設定されるとともに、第２ビットにデータ値として「１」が設定される。さらに、メールを送信しないことが選択された場合には、第１ビットおよび第２ビットの両方にデータ値として「０」が設定される。
【０１１５】
なお、宛先およびＣｃとしてメールが送信される場合は想定されていないため、第１ビットおよび第２ビットの両方にデータ値として「１」が設定されることは無い。
【０１１６】
したがって、たとえば、図１７（Ａ）に示すようなＣｃの編集画面４００が表示されている場合におけるＣｃのリストは図１７（Ｂ）のように示される。ただし、上述の実施例と同様に、宛先やＣｃとしてメールを送信することが選択されている場合には、送信実施フラグがオンされる。一方、宛先やＣｃとしてメールを送信しないことが選択されている場合には、送信実施フラグがオフされる。
【０１１７】
具体的な処理については、図１３に示した宛先の編集処理や図１４に示したＣｃの編集処理の一部（Ｓ５７、Ｓ８７）が上述の実施例とは異なる。図示は省略するが、一回チェックボタンのボタン画像４０４ｂがオンされると、Ｃｃについてのチェックボックス（４０５０、４０５２、４０５４、４０５６）が塗り潰された状態からＴｏおよびＣｃのチェックボックス（４０４０４０４２、４０４４、４０４６、４０５０、４０５２、４０５４、４０５６）が空白にされた状態に遷移する（１）。この状態で、チェックボタンのボタン画像４０４ｂがオンされると、Ｔｏのチェックボックス（４０４０、４０４２、４０４４、４０４６）が塗り潰された状態（４０５０、４０５２、４０５４、４０５６は空白）に遷移する（２）。この状態で、チェックボタンのボタン画像４０４ｂがオンされると、Ｃｃについてのチェックボックス（４０５０、４０５２、４０５４、４０５６）が塗り潰された状態（４０４２、４０４２、４０４４、４０４６は空白）に遷移する（３）。このように、他の実施例のＣｃの編集画面４００では、チェックボタンのボタン画像４０４ｂがオンされる毎に、（１）、（２）、（３）、（１）、…のように、チェックボックスの状態が遷移する。
【０１１８】
図示は省略するが、宛先の編集画面においても同様である。ただし、宛先の編集画面では、上述したように、Ｔｏのチェックボックスが塗り潰された状態から開始するため、チェックボタンのボタン画像がオンされる毎に、上記した（２）、（３）、（１）、（２）、…のように、チェックボックスの状態が遷移する。
【０１１９】
他の実施例によれば、宛先とＣｃとの切替についても宛先やＣｃの編集画面で実行することができるので、さらに操作が簡単であり、操作性を向上させることができる。
【０１２０】
なお、他の実施例においても、宛先とＣｃとを別の編集画面にて設定するようにしたが、宛先とＣｃとの切り替えも可能であるため、それらを含む１の編集画面にて宛先とＣｃの送り先とを設定するようにしてもよい。
【０１２１】
なお、上述の実施例では、携帯電話機について説明したが、これに限定されるべきではない。電子メール機能を備える電子機器であれば、パーソナルコンピュータ、ＰＤＡやゲーム機などにも適用することができる。
【０１２２】
また、上述の実施例では、同報メールに対する返信メールを作成する場合に、宛先やＣｃのリストを作成および表示するようにしたが、送信するすべてのメールについて宛先やＣｃのリストを作成および表示するようにしてもよい。
【符号の説明】
【０１２３】
１０  …携帯電話機（電子機器）
１２  …プロセッサ
１４  …ＲＡＭ
１６  …ＲＯＭ
１８  …フラッシュメモリ
２０  …キー入力装置
２２  …表示ドライバ
２８  …無線通信回路
３２  …マイク
３４  …スピーカ
３８  …ＲＴＣ
【図１】
0005737847.tif 000002
【図２】
0005737847.tif 000003
【図３】
0005737847.tif 000004
【図４】
0005737847.tif 000005
【図５】
0005737847.tif 000006
【図６】
0005737847.tif 000007
【図７】
0005737847.tif 000008
【図８】
0005737847.tif 000009
【図９】
0005737847.tif 000010
【図１０】
0005737847.tif 000011
【図１１】
0005737847.tif 000012
【図１２】
0005737847.tif 000013
【図１３】
0005737847.tif 000014
【図１４】
0005737847.tif 000015
【図１５】
0005737847.tif 000016
【図１６】
0005737847.tif 000017
【図１７】
0005737847.tif 000018